(57)【要約】【課題】遠隔地のシステムが有するデータを容易にメンテナンスする。【解決手段】データベースに記憶されているデータをメンテナンスするデータメンテナンスシステムであって、あらかじめ登録されたＳＱＬ（Structured Query Language）文、および抽出後のレイアウトを示す様式情報を選択する選択処理部と、選択されたＳＱＬ文および様式情報に基づいて、データベースから所望のデータを抽出する抽出処理部と、を備える。【選択図】図１
2019049886.tif 000002
【特許請求の範囲】
【請求項１】
データベースに記憶されているデータをメンテナンスするデータメンテナンスシステムであって、
あらかじめ登録されたＳＱＬ（Structured Query Language）文、および抽出後のレイアウトを示す様式情報を選択する選択処理部と、
選択された前記ＳＱＬ文および前記様式情報に基づいて、前記データベースから所望のデータを抽出する抽出処理部と、
を備えることを特徴とするデータメンテナンスシステム。
【請求項２】
前記抽出処理部により抽出されたデータに含まれる項目の値が更新されたデータである更新データと、前記様式情報とに基づいて、前記データベースに記憶されている前記データを更新する更新処理部、
を備えることを特徴とする請求項１に記載のデータメンテナンスシステム。
【請求項３】
前記更新処理部は、前記抽出処理部により抽出されたデータに含まれる項目の中で前記更新データにより更新する項目を指定するためのキー情報を含む整合性ファイルに基づいて更新対象となる前記データの有無を判定し、前記更新対象となる前記抽出データがあると判定した場合に、前記データを更新する、
ことを特徴とする請求項１に記載のデータメンテナンスシステム。
【請求項４】
前記様式情報と前記ＳＱＬとを紐付けした紐付けファイルを記憶部に記憶する雛形登録部を備え、
前記更新処理部は、前記紐付けファイルに基づいて前記データを更新する、
ことを特徴とする請求項１に記載のデータメンテナンスシステム。
【請求項５】
前記更新処理部は、前記様式情報に対応して前記データが１つであるか否かを判定し、前記様式情報に対応して前記データが１つであると判定した場合に、前記データを更新する、
ことを特徴とする請求項１に記載のデータメンテナンスシステム。
【請求項６】
データベースに記憶されているデータをメンテナンスするデータメンテナンス方法であって、
あらかじめ登録されたＳＱＬ文、および抽出後のレイアウトを示す様式情報を選択し、
選択された前記ＳＱＬ文および前記様式情報に基づいて、前記データベースから所望のデータを抽出する、
ことを特徴とするデータメンテナンス方法。
【請求項７】
前記抽出されたデータに含まれる項目の値が更新されたデータである更新データと、前記様式情報とに基づいて、前記データベースに記憶されている前記データを更新する、
ことを特徴とする請求項６に記載のデータメンテナンス方法。
【請求項８】
前記更新において、前記抽出されたデータに含まれる項目の中で前記更新データにより更新する項目を指定するためのキー情報を含む整合性ファイルに基づいて更新対象となる前記データの有無を判定し、前記更新対象となる前記抽出データがあると判定した場合に、前記データを更新する、
ことを特徴とする請求項６に記載のデータメンテナンス方法。
【請求項９】
前記様式情報と前記ＳＱＬとを紐付けした紐付けファイルを記憶部に記憶し、
前記更新において、前記紐付けファイルに基づいて前記データを更新する、
ことを特徴とする請求項６に記載のデータメンテナンス方法。
【請求項１０】
前記更新において、前記様式情報に対応して前記データが１つであるか否かを判定し、前記様式情報に対応して前記データが１つであると判定した場合に、前記データを更新する、
ことを特徴とする請求項６に記載のデータメンテナンス方法。
【発明の詳細な説明】
【技術分野】
【０００１】
本発明は、データメンテナンスシステム、データメンテナンス方法に関する。
【背景技術】
【０００２】
従来から、データベースに蓄積されたデータを登録したり、データベースに登録されたデータを更新する様々な仕組みが存在する。例えば、特許文献１では、データベースの表のデータを参照し、表中に新たなデータを挿入したり、表中のデータを更新したり、表中のデータを削除したりするプログラムにおいて、前段処理部分と繰り返し処理部分と後段処理部分を備えたプログラム全体を、プログラムスケルトンと仕様とに基づいて、自動的に生成するデータ処理プログラム自動生成システムであって、作成するデータ処理プログラム毎に異なる仕様である個別仕様を入力する機能と、作成するデータ処理プログラムが属するグループ毎に異なる仕様である共通仕様を入力する機能とを有する仕様入力手段を備えたシステムが開示されている。
【先行技術文献】
【特許文献】
【０００３】
【特許文献１】特開２０１２−０４８４３８号公報
【発明の概要】
【発明が解決しようとする課題】
【０００４】
上記特許文献１では、上記構成により、仕様の作成および保存に要するコストを軽減している。しかし、例えば、システムを利用するユーザ側の運用担当者が、システム作成者から離れた遠隔地にいる場合において、データ処理プログラムやそのデータ処理プログラムで定義されるテーブルの仕様自体の作成や更新を行う場合、システム作成者がユーザ側に出向いてメンテナンスをする必要がある。このため、ユーザ側からの要求を受けてから上記プログラムやテーブルの作成、更新を行うまでに時間や労力がかかり、容易にメンテナンスすることができなかった。
【０００５】
本発明は、遠隔地のシステムが有するデータを容易にメンテナンスすることが可能なデータメンテナンスシステム、データメンテナンス方法を提供することを目的とする。
【課題を解決するための手段】
【０００６】
上記課題を解決するために、本発明にかかるデータメンテナンスシステムは、データベースに記憶されているデータをメンテナンスするデータメンテナンスシステムであって、あらかじめ登録されたＳＱＬ（Structured Query Language）文、および抽出後のレイアウトを示す様式情報を選択する選択処理部と、選択された前記ＳＱＬ文および前記様式情報に基づいて、前記データベースから所望のデータを抽出する抽出処理部と、を備えることを特徴とするデータメンテナンスシステムとして構成される。
【０００７】
また、本発明は、上記データメンテナンスシステムで行われるデータメンテナンス方法としても把握される。
【発明の効果】
【０００８】
本発明によれば、遠隔地のシステムが有するデータを容易にメンテナンスすることが可能となる。
【図面の簡単な説明】
【０００９】
【図１】データメンテナンスシステムの機能的な構成を示す図である。
【図２】抽出システムが出力する画面の例を示す図である。
【図３】抽出処理の処理手順を示すシーケンス図である。
【図４】メンテナンスシステムが出力する画面の例を示す図である。
【図５】メンテナンス処理の処理手順を示すシーケンス図である。
【図６】システム処理のイメージ図である。
【発明を実施するための形態】
【００１０】
以下に添付図面を参照して、データメンテナンスシステム、データメンテナンス方法の実施の形態を詳細に説明する。
【００１１】
図１は、データメンテナンスシステム１０００の機能的な構成を示す図である。
図１に示すように、データメンテナンスシステム１０００は、抽出システム１と、メンテナンスシステム１０とを有している。各システムは、ハードウェアとしては、例えば、１または複数のサーバ等のコンピュータから構成される。各システムには、運用作業者１３が操作するＰＣ（Personal Computer）１３が備えられ、各システムとの間でネットワークを介して接続されている。上記サーバおよびＰＣ３０は、キーボード等の入力装置、ディスプレイ等の表示装置、ＮＩＣ（Network Interface Card）等の通信機器を備えている。
【００１２】
抽出システム１は、データベース（以下、ＤＢと記す。）１２からデータを抽出するシステムである。図１に示すように、抽出システム１は、ＤＢ情報登録部２と、ＳＱＬ（Structured Query Language）文登録部３と、雛形登録部４と、データ抽出部５とを有して構成されている。ＤＢ情報登録部２は、ＰＣ３０から入力されるＤＢ情報６をＤＢ１２に登録する処理部である。ＳＱＬ文登録部３は、ＰＣ３０から入力されるＳＱＬ情報７をＤＢ１２に登録する処理部である。雛形登録部４は、ＰＣ３０から入力される雛形データ（例えば、Ｅｘｃｅｌ（登録商標）ファイル）８をＤＢ１２に登録し、登録したＳＱＬと雛形データとを対応付けた紐付けファイル９を出力する処理部である。データ抽出部５は、ＰＣ３０からの指示に従ってＤＢ１２からデータを抽出し、抽出データ１５を出力する処理部である。抽出システム１が有する各部の動作については、画面やフローチャートを用いて後述する。
【００１３】
メンテナンスシステム１０は、抽出システム１により抽出されたデータを更新（あるいは修正）するシステムである。図１に示すように、メンテナンスシステム１０は、更新ファイル登録部１１と、整合性保持部１６とを有している。更新ファイル登録部１１は、抽出データ１５の一部の項目や値を更新（あるいは修正）した更新データ１４をＤＢ１２に登録する処理部である。整合性保持部１６は、整合性ファイル１７を参照し、更新データ１４が更新前のデータと整合しているか否かを判定する処理部である。メンテナンスシステム１０が有する各部の動作については、画面やフローチャートを用いて後述する。
【００１４】
図２は、抽出システム１が出力する画面の例を示す図である。
図２の（ａ）は、ＰＣ３０の表示装置に各種情報を登録するための登録画面である。図２の（ｂ）は、雛形データ８を様式情報として登録するための作成画面である。図２の（ｃ）は、データ抽出部５がＤＢ１２からデータを抽出するための抽出画面である。
【００１５】
図２の（ａ）に示すように、上記登録画面には、ＤＢ情報を登録するためのＤＢ情報登録欄２０１と、ＳＱＬ文を登録するためのＳＱＬ文登録欄２０２と、様式情報を登録するための様式登録欄２０７とを含む。各登録欄には、既に登録されている情報を呼び出すための参照ボタンＢ１と、新規に情報を登録するための登録ボタンＢ２が含まれる。また、上記登録画面には、当該画面から上記作成画面に遷移するための様式作成ボタンＢ３が含まれている。
【００１６】
例えば、ＰＣ３０の入力装置は、運用作業者１３から、上記登録画面のＤＢ情報登録欄２０１から、ＤＢ名やそのＤＢが存在するＵＲＬ（Uniform Resource Locator）、ＤＢにアクセスするためのパスワードを含むアクセス情報の入力を受け付け、ＤＢ情報登録部２が、そのアクセス情報をＰＣ３０から受け取って、抽出システム１に登録する。実際には、抽出システム１が有する記憶部に記憶される。
【００１７】
また、例えば、ＰＣ３０の入力装置は、運用作業者１３から、上記登録画面のＳＱＬ文登録欄２０２から、ＳＱＬ文を含むＳＱＬ情報（例えば、ＳＥＬＥＣＴ文）の入力を受け付け、ＳＱＬ文登録部３が、そのＳＱＬ情報をＰＣ３０から受け取って、抽出システム１に登録する。実際には、抽出システム１が有する記憶部に記憶される。
【００１８】
また、例えば、ＰＣ３０の入力装置は、運用作業者１３から、上記登録画面の様式登録欄２０７から、ＳＱＬ文実行後に抽出して出力されるデータのレイアウトを示す様式情報（例えば、表のタイトルや項目名、用紙サイズ）の入力を受け付け、雛形登録部４が、その様式情報をＰＣ３０から受け取って、抽出システム１に登録する。実際には、抽出システム１が有する記憶部に記憶される。
【００１９】
また、図２の（ｂ）に示すように、上記作成画面には、ＳＱＬ文を選択するためのＳＱＬ選択欄Ａと、ＤＢ１２からデータを抽出する条件を設定するための抽出条件設定欄Ｂとを含んでいる。さらに、ＳＱＬ選択欄Ａは、様式ＩＤを入力するための様式ＩＤ入力欄２０３と、ＳＱＬ文を選択するためのＳＱＬ文選択欄２０４とを含み、選択されたＳＱＬ文を確定するための選択ボタンＢ４が表示されている。抽出条件設定欄Ｂには、条件入力欄２０５と、出力ボタン２０６とが含まれている。
【００２０】
例えば、ＰＣ３０の入力装置が、運用作業者１３から、上記登録画面の様式作成ボタンＢ３の押下を受け付けると、雛形登録部４が上記作成画面を呼び出し、ＰＣ３０の表示装置に出力する。ＰＣ３０の入力装置は、上記作成画面のＳＱＬ選択欄ＡのＳＱＬ文選択欄２０４に表示されているＳＱＬ文の中から、様式登録するＳＱＬ文の選択を受け付ける。ＳＱＬ文選択欄２０４に表示されているＳＱＬ文は、図２の（ａ）に示した上記登録画面のＳＱＬ文登録欄２０２から登録されたＳＱＬ文である。図２の（ｂ）では、ＳＱＬ文１が選択されていることがわかる。
【００２１】
さらに、ＰＣ３０の入力装置は、ＳＱＬ文選択欄２０４の中からＳＱＬ文が選択されると、運用作業者１３から様式ＩＤの入力を受け付ける。さらに、ＰＣ３０の入力装置は、抽出条件設定欄Ｂの条件入力欄２０５から、ＳＱＬ文選択欄２０４の中から選択されたＳＱＬ文に対する条件（例えば、ＦＲＯＭ句やＷＨＥＲＥ句の値）の入力を受け付ける。その後、出力ボタン２０６が押下されると、上記作成画面で指定された様式ＩＤにより識別されるＳＱＬ文が、設定された抽出条件により実行され、抽出データ１５として出力される。
【００２２】
また、図２の（ｃ）に示すように、上記抽出画面には、様式を選択するための様式選択欄Ｃと、選択した様式に対応するＳＱＬ文に対する条件を設定するための抽出条件設定欄Ｄとを含んでいる。様式選択欄Ｃには、様式を選択するための選択様式欄２０８と、選択された様式を決定するための選択ボタンＢ５を含んでいる。また、抽出条件設定欄Ｄには、図２の（ｂ）に示した条件入力欄２０５と、出力ボタン２０６と同様の条件入力欄２０９と、出力ボタン２１０が表示されている。
【００２３】
例えば、ＰＣ３０の入力装置が、運用作業者１３から、上記抽出画面の様式選択欄Ｃの選択様式欄２０８に表示されている様式の中から、出力するデータの様式の選択を受け付ける。選択様式欄２０８に表示されている様式は、図２の（ａ）、（ｂ）から登録された様式である。図２の（ｃ）では、様式１が選択されていることがわかる。選択ボタンＢ５の押下により様式が選択されると、図２の（ｂ）の場合と同様に、ＰＣ３０の入力装置は、抽出条件設定欄Ｄの条件入力欄２０９から、様式選択欄Ｃの中から選択された様式に対応するＳＱＬ文（あるいはＳＱＬ文選択欄２０４の中から選択されたＳＱＬ文）に対する条件（例えば、ＦＲＯＭ句やＷＨＥＲＥ句の値）の入力を受け付ける。その後、出力ボタン２１０が押下されると、上記抽出画面で指定された様式の様式ＩＤにより識別されるＳＱＬ文が、設定された抽出条件により実行され、抽出データ１５として出力される。
【００２４】
様式および様式ＩＤとＳＱＬ文は、雛形登録部４が上記作成画面において選択ボタンＢ４または出力ボタン２０６が押下された場合に、上記作成画面に入力あるいは選択されている様式ＩＤとＳＱＬ文とその条件とを対応付けて紐付けファイル９として抽出システム１が有する記憶部に記憶される。したがって、上記抽出画面の選択様式欄２０８から様式が選択されると、雛形登録部４は、選択された様式に対応するＳＱＬ文および条件を記憶部から読み出して、当該画面に表示する。運用作業者１３は、読み出されたこれらの情報を修正や更新等した後、出力ボタン２１０を押下し、抽出データ１５を得ることができる。続いて、本システムで行われる処理について説明する。
【００２５】
図３は、本システムで行われる処理（抽出処理）の処理手順を示すシーケンス図である。
図３に示すように、ＰＣ３０が運用管理者１３からＤＢ情報の登録操作を受け付けると、ＤＢ情報登録部２は、上記登録画面をＰＣ３０の表示部に出力し、図２の（ａ）、（ｂ）で説明したように、ＤＢ情報の登録を実行する（ステップＳ３０１）。続いて、ＳＱＬ文登録部３は、図２の（ａ）、（ｂ）で説明したように、上記作成画面をＰＣ３０の表示部に出力し、ＳＱＬ文の登録を実行する（ステップＳ３０２）。
【００２６】
ＰＣ３０は、運用作業者１３から雛形データの作成を受け付け（ステップＳ３０３）、雛形登録部４は、図２の（ａ）、（ｂ）で説明したように、ＰＣ３０において作成された雛形データの登録を実行するとともに、上記紐付けファイル９を生成して記憶部に記憶する（ステップＳ３０４）。
【００２７】
データ抽出部５は、図２の（ｃ）で説明したように、上記抽出画面をＰＣ３０の表示部に出力し、ＰＣ３０から当該画面を介して様式および抽出条件の選択および入力を受け付け（ステップＳ３０５）、上記様式および抽出条件に従ってＤＢ１２からデータを抽出し、抽出データ１５を出力する（ステップＳ３０６）。ステップＳ３０６の処理が終了すると、図３に示した抽出処理が終了する。当該処理が実行されることにより、運用作業者１３は、ＤＢ１２に登録されているデータを、所定の様式および抽出条件に従って抽出することができる。続いて、メンテナンスシステム１０について説明する。
【００２８】
図４は、メンテナンスシステム１０が出力する画面の例を示す図である。図４は、ＰＣ３０の表示装置から、抽出データ１５を更新した更新データ１４を登録するためのメンテナンス画面である。図４に示すように、メンテナンス画面は、更新ファイル登録欄４０１と、整合性ファイル登録欄４０２とを含んでいる。また、各登録欄には、既に登録されている情報を呼び出すための参照ボタンＢ６と、情報を更新するための更新ボタンＢ７が含まれる。
【００２９】
図４に示すように、上記メンテナンス画面には、更新データ１４を登録するための更新ファイル登録欄４０１と、既に登録されている抽出データ１５（例えば、抽出データの元となるテーブル）を構成する項目の中で更新データ１４により更新する項目を指定するためのキー情報（例えば、テーブル名、項目名）を登録するための整合性ファイル登録欄４０２とを含む。
【００３０】
例えば、ＰＣ３０の入力装置は、運用作業者１３から、上記メンテナンス画面の更新ファイル登録欄４０１から、更新データ１４の名称や更新データ１４が存在するＵＲＬを含む更新情報の入力を受け付け、更新ファイル登録部１１が、その更新情報をＰＣ３０から受け取って、メンテナンスシステム１０に登録する。実際には、メンテナンスシステム１０が有する記憶部に記憶される。
【００３１】
また、例えば、ＰＣ３０の入力装置は、運用作業者１３から、上記メンテナンス画面の整合性ファイル登録欄４０２から、上記キー情報（例えば、テーブル名、ＷＨＥＲＥ句）の入力を受け付け、整合性保持部１６が、そのキー情報をＰＣ３０から受け取って、メンテナンスシステム１０に登録する。実際には、メンテナンスシステム１０が有する記憶部に記憶される。
【００３２】
上記メンテナンス画面の更新ファイル登録欄４０１および整合性ファイル登録欄４０２から上記更新情報および上記キー情報が入力されると、更新ファイル登録部１１および整合性保持部１６は、メンテナンス処理（図５）を実行する。続いて、本システムで行われるメンテナンス処理について説明する。
【００３３】
図５は、本システムで行われるメンテナンス処理の処理手順を示すシーケンス図である。
図５に示すように、ＰＣ３０が運用管理者１３から更新データ１４の生成（すなわち、抽出データ１５の修正）および整合性ファイル１７の生成を受け付けると（ステップＳ５０１）、更新ファイル登録部１１および整合性保持部１６は、それぞれ、更新データ１４および整合性ファイル１７の登録操作を受け付け、上記メンテナンス画面をＰＣ３０の表示部に出力し、図４で説明したように、上記更新情報および上記キー情報の登録を実行する（ステップＳ５０２）。
【００３４】
続いて、更新ファイル登録部１１は、更新しようとする修正データの様式ＩＤが、過去に抽出システム１に登録（アップロード）された様式ＩＤに存在するか否かを判定する（ステップＳ５０３）。ステップＳ５０３を実行する理由は、更新または修正されるデータの対象を、過去にアップロードされたデータに限定することにより、任意のデータに対して更新や修正を実行させないようにするためである。
【００３５】
更新ファイル登録部１１は、更新しようとする修正データの様式ＩＤが、過去に抽出システム１にアップロードされた様式ＩＤに存在しないと判定した場合（ステップＳ５０３；Ｎｏ）、上記理由により、処理を終了する。
【００３６】
一方、更新ファイル登録部１１は、更新しようとする修正データの様式ＩＤが、過去に抽出システム１にアップロードされた様式ＩＤに存在すると判定した場合（ステップＳ５０３；Ｙｅｓ）、さらに、その様式ＩＤに対応して抽出システム１の記憶部に記憶されている抽出データ１５が１つであるか否かを判定する（ステップＳ５０４）。ステップＳ５０４を実行する理由は、誤って本来更新すべきでないデータの更新を避けるためである。
【００３７】
更新ファイル登録部１１は、その様式ＩＤに対応して抽出システム１の記憶部に記憶されている抽出データ１５が１つでないと判定した場合（ステップＳ５０４；Ｎｏ）、上記理由により、処理を終了する。
【００３８】
一方、更新ファイル登録部１１が、その様式ＩＤに対応して抽出システム１の記憶部に記憶されている抽出データ１５が１つであると判定した場合（ステップＳ５０４；Ｙｅｓ）、整合性保持部１６は、更新対象テーブルのキーが存在するか否かを判定する（ステップＳ５０５）。ステップ５０５を実行する理由は、既に登録されている抽出データ１５の項目の中で更新データ１４と同じ項目を更新するためである。また、上記判定は、図４で登録された上記更新情報、上記キー情報、および紐付けファイル９を参照して実行すればよい。
【００３９】
整合性保持部１６は、更新対象テーブルのキーが存在しないと判定した場合（ステップＳ５０５；Ｎｏ）、上記理由により、処理を終了する。
【００４０】
一方、整合性保持部１６は、更新対象テーブルのキーが存在すると判定した場合（ステップＳ５０５；Ｙｅｓ）、データ更新処理を実行し、上記抽出データ１５の項目の中で更新データ１４と同じ項目を更新し、更新後のデータをメンテナンスシステム１０に登録する（ステップＳ５０６）。このとき、更新後のデータをＰＣ３０の表示部に出力し、運用作業者１３がその内容を確認できるようにしてもよい。ステップＳ５０６の処理が終了すると、図５に示したメンテナンス処理が終了する。当該処理が実行されることにより、運用作業者１３は、ＤＢ１２に登録されているデータの中からデータを抽出し、項目の値を修正した後、登録された上記更新情報や上記キー情報に基づいて抽出データ１５を更新した更新データ１４を登録することができる。
【００４１】
このように、データメンテナンスシステム１０００は、抽出システム１と、メンテナンスシステム１０とを備え、図３および図５に示した各処理を実行することにより、図６のシステム処理のイメージ図に示すように、抽出システム１において、運用作業者１３が作成したＤＢ情報６、ＳＱＬ情報７、雛形データ８に基づいてデータの抽出処理６０１を実行し、ＤＢ１２から抽出された抽出データ１５（例えば、データが抽出された帳票）を出力する。その後、運用作業者１３によりデータの修正処理６０２が実行され、当該修正処理６０２が実行された後の抽出データ１５である更新データ１４をメンテナンスシステム１０にアップロード６０３し、ＤＢ更新６０４を実行する。したがって、遠隔地のシステムが有するデータを容易にメンテナンスすることができる。例えば、セキュリティの制約等でリモート保守ができない遠方のクライアントを担当するエンジニアが現地を訪問することなく、メールでＳＱＬや様式情報をはじめとするデータの抽出や更新に必要な情報を運用作業者１３に送信しておけば、運用作業者１３が所属するクライアント側で任意のデータを抽出し、メンテナンスすることができ、移動の工数削減に貢献することができる。また、クライアントの要望を受けてから早急にＳＱＬを実行することができ、任意のデータを早急にメンテナンス、抽出することができる。
【００４２】
なお、上記抽出システム１、メンテナンスシステム１０で行われる各処理は、実際には、これらの各装置にインストールされたプログラムを実行することにより実現される。上記プログラムは、ＲＯＭ等に予め組み込まれて提供されたり、インストール可能な形式又は実行可能な形式のファイルで記録媒体に記録して提供したり、配布してもよい。
【符号の説明】
【００４３】
１０００・・・・データメンテナンスシステム
１・・・・・・・抽出システム
２・・・・・・・ＤＢ情報登録部
３・・・・・・・ＳＱＬ文登録部
４・・・・・・・雛形登録部
５・・・・・・・データ抽出部
６・・・・・・・ＤＢ情報
７・・・・・・・ＳＱＬ情報
８・・・・・・・雛形データ
９・・・・・・・紐付けファイル
１０・・・・・・メンテナンスシステム
１１・・・・・・更新ファイル登録部
１２・・・・・・抽出・更新対象データベース（ＤＢ）
１３・・・・・・運用作業者
１４・・・・・・更新データ
１５・・・・・・抽出データ
１６・・・・・・整合性保持部
１７・・・・・・整合性ファイル。
【図１】
2019049886.tif 000003
【図２】
2019049886.tif 000004
【図３】
2019049886.tif 000005
【図４】
2019049886.tif 000006
【図５】
2019049886.tif 000007
【図６】
2019049886.tif 000008